(57)【要約】【課題】基板の強度、シールド性、接続信頼性を両立することができるカード型デバイス用スロットコネクタ搭載方法を提供する。【解決手段】マザーボード１０には、カード型デバイス用スロットコネクタ１１を含むカードＦＰＣユニット１３が搭載される場所に、カード型デバイス用スロットコネクタ１１よりも一回り大きい穴部１４が形成される。板金を折り曲げ加工し、または絞り出し加工した箱状のカードスロットフォルダ１５が、マザーボード１０の穴部１４の周囲に設けた半田付けパッドに半田付け２０で固定される。そして、カード型デバイス用スロットコネクタ１１が搭載されたカードＦＰＣユニット１３が、カードスロットフォルダ１５内にバッテリ搭載面１０ａ側から収納され、カードスロットフォルダ１５の底面に両面テープ等で貼り付け固定される。【選択図】図１
2012169106.tif 000002
【特許請求の範囲】
【請求項１】
カード型デバイス用スロットコネクタを有する携帯端末であって、
前記カード型デバイス用スロットコネクタより大である穴部を有する回路基板と、
凹形状の金属板からなり、前記回路基板に形成された穴部の位置に、前記回路基板の部品搭載面側から固定されるカードスロットフォルダと
を備え、
前記カード型デバイス用スロットコネクタは、
前記カードスロットフォルダ内に収納され、前記カードスロットフォルダの底面に固定されている
ことを特徴とする携帯端末。
【請求項２】
前記カードスロットフォルダは、
折り曲げ加工、または絞り出し加工によって凹形状に加工された金属板からなる
ことを特徴とする請求項１に記載の携帯端末。
【請求項３】
前記カードスロットフォルダは、
前記回路基板に形成された穴部の周囲に設けられた半田付けパッドに半田付けで固定される
ことを特徴とする請求項１に記載の携帯端末。
【請求項４】
携帯端末の回路基板上にカード型デバイス用スロットコネクタを搭載するカード型デバイス用スロットコネクタ搭載方法であって、
前記カード型デバイス用スロットコネクタより大である穴部を回路基板の所定の位置に形成する過程と、
凹形状の金属板からなるカードスロットフォルダを、前記回路基板に形成された穴部の位置に、前記回路基板の部品搭載面側から固定する過程と、
前記カードスロットフォルダ内に前記カード型デバイス用スロットコネクタを収納し、前記カードスロットフォルダの底面に固定する過程と
を含むことを特徴とするカード型デバイス用スロットコネクタ搭載方法。
【請求項５】
前記カードスロットフォルダは、
折り曲げ加工、または絞り出し加工によって凹形状に加工された金属板からなることを特徴とする請求項４に記載のカード型デバイス用スロットコネクタ搭載方法。
【請求項６】
前記カードスロットフォルダは、
前記回路基板に形成された穴部の周囲に設けられた半田付けパッドに半田付けで固定されることを特徴とする請求項４に記載のカード型デバイス用スロットコネクタ搭載方法。
【発明の詳細な説明】
【技術分野】
【０００１】
本発明は、携帯端末、及びカード型デバイス用スロットコネクタ搭載方法に関する。
【背景技術】
【０００２】
携帯電話等の携帯端末で、ＭｉｃｒｏＳＤカードや、ＳＩＭ（Subscriber
Identity Module：シム）カード等のカード型デバイス用スロットコネクタを電池下に搭載する場合、本体の薄型化、小型化を図るためにマザーボードに穴を開け、その穴に沈め込む形で、別のＦＰＣ（Flexible Printed
Circuit：フレキシブルプリント基板）等に実装したカードスロットコネクタを装着する場合がある（例えば特許文献１、２参照）。
【０００３】
図４は、従来技術によるカード型デバイス用スロットコネクタの搭載状態を示す模式図である。また、図５は、従来技術によるカード型デバイス用スロットコネクタの搭載状態を示す断面図である。従来技術では、例えば、図２、図３示すように、樹脂成形した枠状のケース１を、部品搭載側から、マザーボード２に開けた穴部３の縁に沿って接着し、更に、そこにカードスロットコネクタ４が実装された基板（ＦＰＣ等）５を貼り付けていた。このように実装することで、カードスロットコネクタ４を、マザーボード２より沈み込んだ状態にすることで、本体の薄型化、小型化を図っていた。
【先行技術文献】
【特許文献】
【０００４】
【特許文献１】実案第３０９７７８７号
【特許文献２】特開２０１０−１０９７６１号公報
【発明の概要】
【発明が解決しようとする課題】
【０００５】
しかしながら、上記従来技術では、その構造上、大きな穴部３が開くことによるマザーボード２の強度低下、穴部３のシールド性低下、コネクタ搭載面の不安定性によるカードの接続信頼性低下といった問題があった。
【０００６】
そこで本発明は、端末の小型薄型化と、基板の強度、シールド性、接続信頼性とを両立することができる携帯端末、及びカード型デバイス用スロットコネクタ搭載方法を提供することを目的とする。
【課題を解決するための手段】
【０００７】
この発明は、カード型デバイス用スロットコネクタを有する携帯端末であって、前記カード型デバイス用スロットコネクタより大である穴部を有する回路基板と、凹形状の金属板からなり、前記回路基板に形成された穴部の位置に、前記回路基板の部品搭載面側から固定されるカードスロットフォルダとを備え、前記カード型デバイス用スロットコネクタは、前記カードスロットフォルダ内に収納され、前記カードスロットフォルダの底面に固定されていることを特徴とする携帯端末である。
【０００８】
この発明は、携帯端末の回路基板上にカード型デバイス用スロットコネクタを搭載するカード型デバイス用スロットコネクタ搭載方法であって、前記カード型デバイス用スロットコネクタより大である穴部を回路基板の所定の位置に形成する過程と、凹形状の金属板からなるカードスロットフォルダを、前記回路基板に形成された穴部の位置に、前記回路基板の部品搭載面側から固定する過程と、前記カードスロットフォルダ内に前記カード型デバイス用スロットコネクタを収納し、前記カードスロットフォルダの底面に固定する過程とを含むことを特徴とするカード型デバイス用スロットコネクタ搭載方法である。
【発明の効果】
【０００９】
この発明によれば、端末の小型薄型化と、基板の強度、シールド性、接続信頼性とを両立することができるという利点が得られる。
【図面の簡単な説明】
【００１０】
【図１】本発明の実施形態によるカード型デバイス用スロットコネクタ搭載方法により搭載されたカード型デバイス用スロットコネクタを示す斜視図である。
【図２】本実施形態によるカード型デバイス用スロットコネクタ搭載方法を説明するための概念図である。
【図３】本実施形態によるカード型デバイス用スロットコネクタ搭載方法を説明するための断面図である。
【図４】従来技術によるカード型デバイス用スロットコネクタの搭載状態を示す模式図である。
【図５】従来技術によるカード型デバイス用スロットコネクタの搭載状態を示す断面図である。
【発明を実施するための形態】
【００１１】
以下、本発明の実施の形態を、図面を参照して説明する。
【００１２】
図１は、本発明の実施形態によるカード型デバイス用スロットコネクタ搭載方法により搭載されたカード型デバイス用スロットコネクタを示す斜視図である。図１（ａ）には、携帯電話の主要電子部品が搭載されるマザーボード１０のバッテリ搭載面１０ａが示されており、同図（ｂ）には、マザーボード１０のバッテリ搭載面１０ａと反対側、すなわち部品搭載面１０ｂが示されている。すなわち、マザーボード１０の部品搭載面１０ｂに主要電子部品が搭載されており、該部品搭載面１０ｂが内側になるように、マーボード１０が携帯電話の筐体（図示略）に収められる。
【００１３】
図１（ａ）に示すように、バッテリ搭載面１０ａには、カード型デバイス用スロットコネクタ１１がマザーボード１０に埋め込めれた形で搭載されている。カード型デバイス用スロットコネクタ１１は、予めＦＰＣ基板１２に実装されており、該ＦＰＣ基板１２に実装されたカード型デバイス用スロットコネクタ１１全体をカードＦＰＣユニット１３という。マザーボード１０には、カード型デバイス用スロットコネクタ１１を含むカードＦＰＣユニット１３が搭載される場所に、カードＦＰＣユニット１３よりも一回り大きい穴部１４が形成されている。カードＦＰＣユニット１３は、該穴部１４に埋め込めれた形で搭載されている。
【００１４】
図示しないバッテリは、バッテリ搭載面１０ａの一部または大部分に密着した状態で設置される。したがって、カードＦＰＣユニット１３は、搭載されるバッテリがバッテリ搭載面１０ａに密着した状態で設置されるように、その上面がマザーボード１０のバッテリ搭載面１０ａと少なくも同レベルか、より低い位置にくるように設計されている。
【００１５】
なお、図示していないが、電子部品が搭載された部品搭載面１０ｂのほぼ全面は、マグネシュウム成型品のシールドケースで覆われる。該シールドケースは、数本のネジによりマザーボード１０に締め付け固定されている。
【００１６】
また、マザーボード１９の部品搭載面１０ｂには、主に電子部品が搭載されるようになっており、図１（ｂ）に示すように、上記カードＦＰＣユニット１３を搭載するためのカードスロットフォルダ１５が設置されている。該カードスロットフォルダ１５は、バッテリ搭載面１０ａ側を開放した箱型形状となっており、一部にカードＦＰＣユニット１３からのフレキシブル配線を通すための切り欠き部１５ａが形成されている。
【００１７】
カードスロットフォルダ１５は、板金を折り曲げ加工、または絞り出し加工され、マザーボード１０の穴部１４の周囲に設けた半田付けパッド（図示略）に半田付け２０で固定されている。なお、半田付けに加えて、いわゆる溶接、あるいは機械的、物理的な固定方法を採用してもよい。カード型デバイス用スロットコネクタ１１が搭載されたカードＦＰＣユニット１３は、マザーボード１０に固定されたカードスロットフォルダ１５により形成された受け皿に、バッテリ搭載面１０ａ側から収納され、両面テープなどで貼り付け固定されている。
【００１８】
図２、及び図３は、本実施形態によるカード型デバイス用スロットコネクタ搭載方法を説明するための概念図、及び断面図である。マザーボード１０には、カード型デバイス用スロットコネクタ１１を含むカードＦＰＣユニット１３が搭載される場所に、カード型デバイス用スロットコネクタ１１よりも一回り大きい穴部１４が形成される。次に、板金を折り曲げ加工し、または絞り出し加工した箱状のカードスロットフォルダ１５が、マザーボード１０の穴部１４の周囲に設けた半田付けパッドに半田付け２０で固定される。そして、カード型デバイス用スロットコネクタ１１が搭載されたカードＦＰＣユニット１３が、カードスロットフォルダ１５内にバッテリ搭載面１０ａ側から収納され、カードスロットフォルダ１５の底面に両面テープ等で貼り付け固定される。
【００１９】
本実施形態によれば、マザーボード１０に開けたカード型デバイス用スロットコネクタ１１用の穴部１４に、板金加工のカードスロットフォルダ１５を半田付けで固定しているので、穴部１４の形成によるマザーボード１０の強度低下を抑えることができ、マザーボード（基板）１０の剛性を補強することができる。
【００２０】
また、マザーボード１０の穴部１４によりマザーボード１０の表裏間での信号干渉が懸念されるが、シールドケース態様のカードスロットフォルダ１５を半田付けすることで、穴部分のシールド性低下を抑えることができる。
【００２１】
さらに、マザーボード１０に半田で固定されたカードスロットフォルダ１５を受け皿にすることで、カードＦＰＣユニット１３をしっかり固定することができ、カードの接続信頼性を確保することができる。
【００２２】
以上、この発明の実施形態について説明したが、この発明は、これらに限定されるものではなく、特許請求の範囲に記載された発明とその均等の範囲を含むものである。
以下に、本願出願の特許請求の範囲に記載された発明を付記する。
【００２３】
（付記）
請求項１に記載の発明は、カード型デバイス用スロットコネクタを有する携帯端末であって、前記カード型デバイス用スロットコネクタより大である穴部を有する回路基板と、凹形状の金属板からなり、前記回路基板に形成された穴部の位置に、前記回路基板の部品搭載面側から固定されるカードスロットフォルダとを備え、前記カード型デバイス用スロットコネクタは、前記カードスロットフォルダ内に収納され、前記カードスロットフォルダの底面に固定されていることを特徴とする携帯端末である。
【００２４】
請求項２に記載の発明は、請求項１に記載の携帯端末において、前記カードスロットフォルダは、折り曲げ加工、または絞り出し加工によって凹形状に加工された金属板からなることを特徴とする携帯端末である。
【００２５】
請求項３に記載の発明は、請求項１に記載の携帯端末において、前記カードスロットフォルダは、前記回路基板に形成された穴部の周囲に設けられた半田付けパッドに半田付けで固定されることを特徴とする携帯端末である。
【００２６】
請求項４に記載の発明は、携帯端末の回路基板上にカード型デバイス用スロットコネクタを搭載するカード型デバイス用スロットコネクタ搭載方法であって、前記カード型デバイス用スロットコネクタより大である穴部を回路基板の所定の位置に形成する過程と、凹形状の金属板からなるカードスロットフォルダを、前記回路基板に形成された穴部の位置に、前記回路基板の部品搭載面側から固定する過程と、前記カードスロットフォルダ内に前記カード型デバイス用スロットコネクタを収納し、前記カードスロットフォルダの底面に固定する過程とを含むことを特徴とするカード型デバイス用スロットコネクタ搭載方法である。
【００２７】
請求項５に記載の発明は、請求項４に記載のカード型デバイス用スロットコネクタ搭載方法において、前記カードスロットフォルダは、折り曲げ加工、または絞り出し加工によって凹形状に加工された金属板からなることを特徴とするカード型デバイス用スロットコネクタ搭載方法である。
【００２８】
請求項６に記載の発明は、請求項４に記載のカード型デバイス用スロットコネクタ搭載方法において、前記カードスロットフォルダは、前記回路基板に形成された穴部の周囲に設けられた半田付けパッドに半田付けで固定されることを特徴とするカード型デバイス用スロットコネクタ搭載方法である。
【符号の説明】
【００２９】
１０  マザーボード
１０ａ  バッテリ搭載面
１０ｂ  部品搭載面
１１  カード型デバイス用スロットコネクタ
１２  ＦＰＣ基板
１３  カードＦＰＣユニット
１４  穴部
１５  カードスロットフォルダ
１５ａ  切り欠き部
２０  半田付け
【図１】
2012169106.tif 000003
【図２】
2012169106.tif 000004
【図３】
2012169106.tif 000005
【図４】
2012169106.tif 000006
【図５】
2012169106.tif 000007